(57)【要約】 【課題】  係合時の双方のコネクタ間における、がた詰め機能を高めることのできるコネクタ装置を提供することを目的とする。【解決手段】  雌ハウジング５の端子保持部５１には、前方から保持キャップＲＣが装着されるとともに、端子保持部５１の半径方向外方に、これを囲むように筒状のカバー部５２が形成されている。保持キャップＲＣの前端外周面には、複数の第１がた詰め部ＲＣ３が、半径方向外方に突出している。また、カバー部５２の内周面には、その後端部に複数の第２がた詰め部５２ａが、半径方向内方に突出している。雌雄のコネクタ１、４を互いに嵌合させると、第１がた詰め部ＲＣ３および第２がた詰め部５２ａは、ともに、雄ハウジング２のフード部２１に当接することにより、双方のハウジング２、５間の半径方向のがたつきを低減することができる。【選択図】  図１
2007080737.tif 000002
【特許請求の範囲】
【請求項１】
雄ハウジングに前方が開口したフード部が形成され、該フード部に取り囲まれるように、前記雄ハウジングに雄側端子が取り付けられた雄コネクタと、
内部に雌側端子が収容された係合部が、雌ハウジングに形成された雌コネクタとを備え、
前記雌雄のコネクタを係合させることにより、前記雄ハウジングの前記フード部と、前記雌ハウジングの前記係合部とが嵌合することにより、前記双方の端子が互いに接続されるコネクタ装置において、
前記フード部および前記係合部のうちのいずれかからは、半径方向に第１がた詰め部および第２がた詰め部が突出し、前記雌雄のコネクタを互いに係合させた時、前記第１がた詰め部は前記フード部の奥側において、前記第２がた詰め部は前記フード部の開口側において、それぞれ相手側のハウジングに当接することにより、前記雌雄のハウジング間の半径方向のがたつきを低減し、更に、前記フード部の先端は、前記雌コネクタと弾発的に係合することにより、前記雌雄のハウジング間の、その嵌合方向のがたつきを低減することを特徴とするコネクタ装置。
【請求項２】
前記係合部は、前記フード部内に挿入される端子収容部と、前記フード部の外周側に嵌合するカバー部とにより形成され、前記雌雄のコネクタを係合させることにより、前記第１がた詰め部および前記第２がた詰め部のうちの一方は、前記フード部の内周面と前記端子収容部との間に介在し、他方は、前記フード部の外周面と前記カバー部との間に介在することを特徴とする請求項１記載のコネクタ装置。
【発明の詳細な説明】
【技術分野】
【０００１】
本発明は、互いに係合する一対のコネクタを備えたコネクタ装置に関する。
【背景技術】
【０００２】
互いに係合する一対のコネクタを備えたコネクタ装置において、一側のコネクタハウジングに防水シールを取り付け、この防水シールが、係合する相手側のコネクタハウジングとの間で弾発的に保持されることにより、双方のコネクタ間におけるガタ詰めを行うものがあった（例えば、特許文献１参照）。
このコネクタ装置においては、防水シールの弾発力によって、双方のハウジング間に緊張を持たせ、所定のがた詰めを行うことは可能である。しかしながら、防水シールはゴム材料によって形成され、所詮、可撓性を有した部材であるため、双方のハウジングの緊張に抗するような過大な荷重が加われば、なおがたつきが発生する恐れもあった。
【特許文献１】特公平５−５０１１３号公報（第１図および第２図）
【発明の開示】
【発明が解決しようとする課題】
【０００３】
本発明は上記のような事情に基づいて完成されたものであって、係合時の双方のコネクタ間における、がた詰め機能を高めることのできるコネクタ装置を提供することを目的とする。
【課題を解決するための手段】
【０００４】
上記の目的を達成するための手段として、請求項１の発明は、雄ハウジングに前方が開口したフード部が形成され、該フード部に取り囲まれるように、前記雄ハウジングに雄側端子が取り付けられた雄コネクタと、内部に雌側端子が収容された係合部が、雌ハウジングに形成された雌コネクタとを備え、前記雌雄のコネクタを係合させることにより、前記雄ハウジングの前記フード部と、前記雌ハウジングの前記係合部とが嵌合することにより、前記双方の端子が互いに接続されるコネクタ装置において、前記フード部および前記係合部のうちのいずれかからは、半径方向に第１がた詰め部および第２がた詰め部が突出し、前記雌雄のコネクタを互いに係合させた時、前記第１がた詰め部は前記フード部の奥側において、前記第２がた詰め部は前記フード部の開口側において、それぞれ相手側のハウジングに当接することにより、前記雌雄のハウジング間の半径方向のがたつきを低減し、更に、前記フード部の先端は、前記雌コネクタと弾発的に係合することにより、前記雌雄のハウジング間の、その嵌合方向のがたつきを低減することを特徴とするコネクタ装置とした。
【０００５】
請求項２の発明は、前記係合部は、前記フード部内に挿入される端子収容部と、前記フード部の外周側に嵌合するカバー部とにより形成され、前記雌雄のコネクタを係合させることにより、前記第１がた詰め部および前記第２がた詰め部のうちの一方は、前記フード部の内周面と前記端子収容部との間に介在し、他方は、前記フード部の外周面と前記カバー部との間に介在することを特徴とする請求項１記載のコネクタ装置とした。
【発明の効果】
【０００６】
＜請求項１の発明＞
雌雄のコネクタを互いに係合させた時、第１がた詰め部はフード部の奥側において、第２がた詰め部はフード部の開口側において、それぞれ相手側のハウジングに当接することにより、雌雄のハウジング間の半径方向のがたつきを低減し、更に、フード部の先端は、雌コネクタと弾発的に係合することにより、雌雄のハウジング間の、その嵌合方向のがたつきを低減する構成とした。これにより、雌雄のコネクタ間の３次元方向のがたつきを低減することが可能になるとともに、双方のハウジング間の半径方向に過大な荷重が加わっても、ハウジングの一部である第１がた詰め部および第２がた詰め部は変形することがないため、がたつきが発生することはない。
【０００７】
＜請求項２の発明＞
係合部は、フード部内に挿入される端子収容部と、フード部の外周側に嵌合するカバー部とにより形成され、雌雄のコネクタを係合させることにより、第１がた詰め部および第２がた詰め部のうちの一方は、フード部の内周面と端子収容部との間に介在し、他方は、フード部の外周面とカバー部との間に介在する構成とした。これにより、第１がた詰め部および第２がた詰め部を形成する部位について、設計上の自由度が増し、防水シール等との干渉を避けて、ハウジングに設けることが容易になる。
【発明を実施するための最良の形態】
【０００８】
本発明の実施形態を図１乃至図５によって説明する。図１において、右方を雄コネクタ１の前方、左方を雌コネクタ４の前方とする。また、説明中、コネクタ１、４の半径方向とは、図５において、端子保持部５１を中心として、上下左右あるいは斜め方向をいう。本実施形態によるコネクタ装置は、雄コネクタ１と雌コネクタ４を備えている。雄コネクタ１は、雄ハウジング２と雄側端子３とを具備している。雄ハウジング２は合成樹脂材料にて一体に形成され、前方に開口するように、筒形のフード部２１が前後方向に延びており、フード部２１の後方には端子取付部２２が形成されている。フード部２１の内周面は、開口側が奥側に比べて拡径されることにより、段付形状に形成されている。また、フード部２１の外周面上部には、雌ハウジング５のロック片５３（後述する）と係合するためのロック部２１ａが、上方に突出している（図１示）。
【０００９】
雄側端子３は、導電性を有した金属板をプレス成形することにより、一体に形成されており、端子取付部２２に形成された端子孔（図示せず）に、前方より圧入されている。これにより、雄側端子３は、フード部２１に取り囲まれるように、雄ハウジング２に取り付けられ、フード部２１内を前後方向に延びている。
【００１０】
一方、雌コネクタ４は、雌ハウジング５と雌側端子６とを備えており、雌ハウジング５は合成樹脂材料にて一体に形成されている。雌ハウジング５は、半径方向の略中央部に、端子保持部５１が形成されているとともに、この前方には、合成樹脂材料による保持キャップＲＣが、がたつき無く装着されており、これは、端子保持部５１とともに、本発明の端子収容部に該当している。端子保持部５１には、雌側端子６が収容可能な一対の端子挿入孔５１ａが形成されており、これは、保持キャップＲＣが装着された状態で、これに設けられた端子孔ＲＣ１と連続するように形成されている。また、保持キャップＲＣには、端子孔ＲＣ１と連通するように接続孔ＲＣ２が形成されており、端子保持部５１内に収容された雌側端子６の前端と対向している。
【００１１】
端子挿入孔５１ａ内には、上方より可撓性を有したランス５１ｂが突出しており、これは、端子挿入孔５１ａに進入した雌側端子６と係合することにより、その抜止を行う。また、端子保持部５１には、端子挿入孔５１ａ内に突出するリテーナＴＮが装着可能とされており、雌側端子６を端子挿入孔５１ａ内に収容した後、リテーナＴＮを取り付けることにより、雌側端子６の抜止をいっそう確実にしている。
【００１２】
雌ハウジング５には、端子保持部５１の半径方向外方に、これを囲むように筒状のカバー部５２が形成されている（保持キャップＲＣおよび端子保持部５１とともに、本発明の係合部に該当する）。また、雌ハウジング５の上面には、カバー部５２の一部を切り欠いて、片持ちに支持されたロック片５３が形成されている。上述したように、雌雄のコネクタ１、４を嵌合させた場合に、ロック片５３の前方に形成されたロック孔５３ａが、雄ハウジング２のロック部２１ａと係合して、双方のハウジング２、５の抜止を行う。尚、ロック片５３の後端部には、コネクタ１、４の嵌合を解除する場合に、ロック片５３を撓ませるために押圧するレリーズ部５３ｂが形成されている。
【００１３】
雌側端子６は、雄側端子３と同様に、導電性を有した金属板をプレス成形することにより、一体に形成されている。雌側端子６は、防水用ゴムＲＲに挿通された電線ＷＨに対しか締められて、電気的に接続されているとともに、その後端部において、防水用ゴムＲＲにもか締められて固定されている。また、雌ハウジング５に取り付けられた防水シール７は、合成ゴム材料によって一体成形されており、略リング状に形成されている。防水シール７の外周面には、シールのための一対の突条７１が形成されるとともに、後端部には半径外方へと延びたフランジ部７２が設けられている。防水シール７は、端子保持部５１の外周に装着されることにより、軸方向において、雌ハウジング５の後方部に形成された底面５４と、端子保持部５１に装着された保持キャップＲＣとの間に配置される。
【００１４】
また、保持キャップＲＣの前端外周面には、複数の第１がた詰め部ＲＣ３が形成されている。第１がた詰め部ＲＣ３は円周上に等間隔に配置され、半径方向外方に断面が略三角状に突出している（図３および図５示）。また、雌ハウジング５のカバー部５２の内周面には、その後端部に、複数の第２がた詰め部５２ａが形成されている。第２がた詰め部５２ａも、第１がた詰め部ＲＣ３と同様に、円周上に等間隔に配置され、半径方向内方に断面が略三角状に突出している。
【００１５】
次に、雄コネクタ１と雌コネクタ４とを係合させた場合について説明する。各々、雄側端子３と雌側端子６を収容したハウジング２、５を、互いに前方より嵌合させると、フード部２１内に保持キャップＲＣが装着された端子保持部５１が挿入され、同時に、フード部２１の外周側にカバー部５２が嵌合する。また、雄コネクタ１の雄側端子３は、接続孔ＲＣ２を介して保持キャップＲＣ内に進入し、雌側端子６と嵌合して電気的に接続される。また、雌雄のコネクタ１、４の嵌合により、雄ハウジング２のロック部２１ａは、雌ハウジング５のロック片５３を上方へ撓ませた後、ロック孔５３ａと係合し、双方のハウジング２、５の抜止を行う（図２示）。
【００１６】
雌雄のハウジング２、５が嵌合することにより、端子保持部５１は、その後方部までフード部２１と係合し、装着された防水シール７の突条７１が、フード部２１の内周面に押圧され、外部から端子保持部５１への水入りを防止する。また、それとともに、フード部２１の先端は、可撓性を有する防水シール７のフランジ部７２を後方に押圧して、弾発的に係合することにより、防水シール７の水入り防止機能に加え、雌雄のハウジング２、５間の、嵌合方向のがたつきを低減している（図２および図４示）。
【００１７】
また、雌コネクタ４の保持キャップＲＣとカバー部５２が、雄コネクタ１のフード部２１と嵌合することにより、第１がた詰め部ＲＣ３がフード部２１の奥側において、その内周面との間に介在し（図２、図３および図５示）、第２がた詰め部５２ａは、フード部２１の開口側において、その外周面との間に介在する（図２示）。図３および図５に示したように、保持キャップＲＣの第１がた詰め部ＲＣ３を含んだ外径は、フード部２１の奥側の内径よりも若干大きい（内外径が互いにオーバーラップしている）ため、保持キャップＲＣをフード部２１内に挿入すると、保持キャップＲＣがフード部２１に対して圧入気味となり、フード部２１が適度な緊張状態になる。これにより、双方の間のがたつきを完全に無くすことができる。また、図４に示したように、カバー部５２の第２がた詰め部５２ａを含んだ内径は、フード部２１の外径よりも小さいため、カバー部５２をフード部２１に嵌合させると、上述した保持キャップＲＣと同様に、フード部２１がカバー部５２に対して圧入気味となり、カバー部５２が適度な緊張状態になる。これにより、双方の間のがたつきを完全に無くすことができる。
【００１８】
また、上述したように、フード部２１と保持キャップＲＣおよびカバー部５２とが、適度な締め代を有して係合することにより、それぞれの係合箇所の剛性を増大させることができ、互いに嵌合したコネクタ１、４に荷重が加わえられても、これらが撓むことがない。また、フード部２１と保持キャップＲＣおよびカバー部５２とを係合させることにより、第１がた詰め部ＲＣ３および第２がた詰め部５２ａの頂部が、フード部２１により押圧されて圧潰して、双方の間のがたつきを無くすようにしてもよい。尚、第１がた詰め部ＲＣ３および第２がた詰め部５２ａは、保持キャップＲＣあるいはカバー部５２に、円周上に互いに間隔を有して配置されているため、フード部２１との間に締め代を設けても、フード部２１に係合させる時に嵌合荷重がそれ程増大することはなく、支障が生じることはない。
【００１９】
本実施形態によれば、雌雄のコネクタ１、４を互いに係合させた時、第１がた詰め部ＲＣ３はフード部２１の奥側において、第２がた詰め部５２ａはフード部２１の開口側において、それぞれフード部２１に当接することにより、雌雄のハウジング２、５間の半径方向のがたつきを無くし、更に、フード部２１の先端は、防水シール７と弾発的に係合することにより、その嵌合方向のがたつきを低減する構成とした。これにより、雌雄のコネクタ１、４間の３次元方向のがたつきを低減することが可能になるとともに、第１がた詰め部ＲＣ３および第２がた詰め部５２ａは、それぞれ剛性を有した保持キャップＲＣおよび雌ハウジング５の一部であるため、双方のハウジング２、５間の半径方向に過大な荷重が加わっても変形することがなく、嵌合したコネクタ１、４に、がたつきが発生することはない。
【００２０】
また、フード部２１と係合する部位は、フード部２１内に挿入される保持キャップＲＣと、フード部２１の外周側に嵌合するカバー部５２とにより形成され、雌雄のコネクタ１、４を係合させることにより、第１がた詰め部ＲＣ３は、フード部２１の内周面との間に介在し、第２がた詰め部５２ａは、フード部２１の外周面との間に介在する構成とした。これにより、第１がた詰め部ＲＣ３および第２がた詰め部５２ａを形成する部位について、設計上の自由度が増し、防水シール７等との干渉を避けて、ハウジング５等に設けることが容易になる。
【００２１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第１がた詰め部あるいは第２がた詰め部を、雄ハウジングのフード部側に形成してもよい。
（２）第１がた詰め部および第２がた詰め部と、フード部との間のオーバーラップ量は、コネクタ間のがた詰めの程度、あるいはコネクタ同士の嵌合荷重等を考慮して、任意に決めることができ、オーバーラップ量は０であってもよい。
（３）また、第１がた詰め部および第２がた詰め部の突出部位は、コネクタ同士の嵌合荷重等を考慮して、ともに適当な数だけ形成することができる。
（４）雌雄のコネクタの嵌合時に、防水シールを介させずに、フード部の先端を、直接に雌ハウジングに当接させて、嵌合方向のがた詰めを行ってもよい。
【図面の簡単な説明】
【００２２】
【図１】本実施形態による雌雄のコネクタの断面図である。
【図２】図１に示した双方のコネクタを嵌合させたところを表した断面図である。
【図３】図１のＡ部の拡大図である。
【図４】図１のＢ部の拡大図である。
【図５】図１に示した雌コネクタの部分的な左面図である。
【符号の説明】
【００２３】
１…雄コネクタ
２…雄ハウジング
３…雄側端子
４…雌コネクタ
５…雌ハウジング
６…雌側端子
７…防水シール
２１…フード部
５１…端子保持部
５２…カバー部
５２ａ…第２がた詰め部
ＲＣ…保持キャップ
ＲＣ３…第１がた詰め部
【図１】
2007080737.tif 000003
【図２】
2007080737.tif 000004
【図３】
2007080737.tif 000005
【図４】
2007080737.tif 000006
【図５】
2007080737.tif 000007